(57)【要約】【課題】地中熱をより有効に利用できる地中熱利用装置を提供する。【解決手段】建物１の中に設置されて建物１の屋内９の空気と熱交換をおこなう室内機１３と、外気取込口２１から取り込まれた空気と熱交換をおこなう室外機１７と、室内機１３と室外機１７とを循環する熱搬送流体の経路１８とを有する空調装置１２を備えるとともに、給気口と排気口が設けられた前記建物の地中熱利用装置であって、吸込口２ａが外気に連通した通気経路２の一部を地中に埋設し、該通気経路２を分岐させるとともに該分岐点より下流の一の吹出口２Ａを室外機１７の外気取込口２１に接続し、他の一の吹出口２Ｂを建物１の給気口１１Ａに接続し、通気管２の分岐点に空気流路の切換手段３を設けて地中熱で温調された空気の給気先を室外機１３又は建物１内に切換できるようにした。【選択図】図１
2012163239.tif 000002
【特許請求の範囲】
【請求項１】
建物の中に設置されて建物内の空気と熱交換をおこなう室内機と、外気取込口から取り込まれた建物外の空気と熱交換をおこなう室外機と、前記室内機と前記室外機とを循環する熱搬送流体の経路とを有する空調装置を備えるとともに、給気口と排気口が設けられた前記建物の地中熱利用装置であって、
吸込口が外気に連通した通気経路の少なくとも一部を地中に形成し、
該通気経路に分岐点を設けるとともに、該分岐点より下流の一の吹出口を前記室外機の外気取込口に向けて設け、
他の一の吹出口を前記建物の給気口に接続し、
前記通気経路の分岐点に空気流路の切換手段を設けて地中熱で温調された空気の給気先を前記外気取込口又は前記建物の給気口に切換できるようにしたことを特徴とする地中熱利用装置。
【請求項２】
前記通気経路の分岐点より上流の部分に外気の吸込みを促進するための吸込手段を設けたことを特徴とする請求項１に記載の地中熱利用装置。
【請求項３】
前記空調装置を操作するためのリモコンに前記切換手段を接続し、該リモコンの操作により前記切換手段を制御して前記地中熱で温調された空気の給気先を選択できるようにしたことを特徴とする請求項１〜３いずれか１項に記載の地中熱利用装置。
【請求項４】
建物の中に設置されて建物内の空気と熱交換をおこなう室内機と、外気取込口から取り込まれた建物外の空気と熱交換をおこなう室外機と、前記室内機と前記室外機とを循環する熱搬送流体の経路とを有する空調装置を備えるとともに、給気口と排気口が設けられた前記建物の地中熱利用装置であって、
吸込口が外気に連通した通気経路の少なくとも一部を地中に形成し、
該通気経路に分岐点を設けるとともに、該分岐点より下流の一の吹出口を前記室外機の外気取込口に向けて設け、
他の一の吹出口を前記建物の給気口に接続し、
前記通気経路の分岐点より下流の位置のそれぞれに前記温調空気の流量を調節する流量調節手段を設けてこれらを同時に制御することにより、地中熱で温調された空気の給気先を前記外気取込口又は前記建物の給気口に切換できるようにしたことを特徴とする地中熱利用装置。
【発明の詳細な説明】
【技術分野】
【０００１】
本発明は、地中熱利用装置に関するものである。
【背景技術】
【０００２】
従来、地中熱を利用することで住宅の空調装置の効率を向上させ、電気やガスなどのエネルギー消費量を削減させる空調システムが知られている（例えば特許文献１参照）。
【０００３】
特許文献１には、地中埋設チューブに外気を通過させることで、外気の温度を地中の温度に近づけさせ、その地中埋設チューブを経由させた外気を住宅の屋内に供給する地中熱利用空調システムが開示されている。
【０００４】
すなわち、地中の温度は、外気に比べて夏季は低く、冬季は高いため、地中の温度に近づけた外気を屋内に取り込むことで、夏季は屋内を冷やすことができ、冬季は屋内を暖めることができる。
【先行技術文献】
【特許文献】
【０００５】
【特許文献１】特開２００３−３５４３３号公報
【発明の概要】
【発明が解決しようとする課題】
【０００６】
しかしながら、外気温は季節や天候によって変化し、室温はさらに人為的な要因によっても変化する。そのため、外気温と室温との差が大きく、外気を地中で加温又は冷却しても室温との差が依然として大きい場合等、この空気を屋内に直接取り込むことが不適切となる場合もある。この場合、特許文献１に開示された地中熱利用空調システムでは、地中熱を有効に利用することができないこととなる。
【０００７】
そこで、本発明は、地中熱をより有効に利用できる地中熱利用装置を提供することを目的としている。
【課題を解決するための手段】
【０００８】
前記目的を達成するために、本発明に係る地中熱利用装置は、建物の中に設置されて建物内の空気と熱交換をおこなう室内機と、外気取込口から取り込まれた建物外の空気と熱交換をおこなう室外機と、前記室内機と前記室外機とを循環する熱搬送流体の経路とを有する空調装置を備えるとともに、給気口と排気口が設けられた前記建物の地中熱利用装置であって、吸込口が外気に連通した通気経路の少なくとも一部を地中に形成し、該通気経路に分岐点を設けるとともに、該分岐点より下流の一の吹出口を前記室外機の外気取込口に向けて設け、他の一の吹出口を前記建物の給気口に接続し、前記通気経路の分岐点に空気流路の切換手段を設けて地中熱で温調された空気の給気先を前記外気取込口又は前記建物の給気口に切換できるようにしたことを特徴とする。
【０００９】
また、前記通気経路の分岐点より上流の部分に外気の吸込みを促進するための吸込手段を設けてもよい。
【００１０】
さらに、前記空調装置を操作するためのリモコンに前記切換手段を接続し、該リモコンの操作により前記切換手段を制御して前記地中熱で温調された空気の給気先を選択できるようにしてもよい。
【００１１】
本発明に係る別の地中熱利用装置は、建物の中に設置されて建物内の空気と熱交換をおこなう室内機と、外気取込口から取り込まれた建物外の空気と熱交換をおこなう室外機と、前記室内機と前記室外機とを循環する熱搬送流体の経路とを有する空調装置を備えるとともに、給気口と排気口が設けられた前記建物の地中熱利用装置であって、吸込口が外気に連通した通気経路の少なくとも一部を地中に形成し、該通気経路に分岐点を設けるとともに、該分岐点より下流の一の吹出口を前記室外機の外気取込口に向けて設け、他の一の吹出口を前記建物の給気口に接続し、前記通気経路の分岐点より下流の位置のそれぞれに前記温調空気の流量を調節する流量調節手段を設けてこれらを同時に制御することにより、地中熱で温調された空気の給気先を前記外気取込口又は前記建物の給気口に切換できるようにしたことを特徴とする。
【発明の効果】
【００１２】
本発明に係る地中熱利用装置によれば、前記切換手段により給気先を前記建物内又は前記空調装置の室外機とすることが可能である。そのため、例えば冬季暖房時に建物内に温調空気を直接取り込むには温調空気が冷たすぎる場合であっても、給気先を室外機とすることで外気よりは室外機において冷媒と熱交換させることができる等、状況に応じて地中熱の供給先を選択できるので、地中熱を無駄なく有効に利用することができる。
【００１３】
また、前記通気経路の分岐点より上流の部分に外気の吸込みを促進するための吸込手段を設ければ、一の吸込手段により上述した各給気を行うことができる。
【００１４】
さらに、前記空調装置を操作するためのリモコンに前記切換手段に接続し、該リモコンの操作により前記切換手段を制御して前記温調空気の給気先を選択できるようにしたので、ユーザによる制御が簡単となる。
【００１５】
本発明に係る別の地中熱利用装置によれば、前記流量調節手段により給気先を前記建物内又は前記空調装置の室外機とすることが可能である。そのため、上記同様に状況に応じて地中熱の供給先を選択できるので、地中熱を無駄なく有効に利用することができる。
【図面の簡単な説明】
【００１６】
【図１】本発明の実施の形態の地中熱利用装置の構成を模式的に示した説明図である。
【図２】空調装置の室外機周辺の構成を説明する斜視図である。
【図３】室外機のカバー部の部分断面図である。
【図４】（ａ）と（ｂ）は、本発明に係る実施例の地中熱利用装置の構成を説明する図である。
【発明を実施するための形態】
【００１７】
以下、本発明の実施の形態について図面を参照して説明する。
【００１８】
本発明に係る地中熱利用装置は、図１に示すように、一般にエアコンとして知られるようなヒートポンプシステムを有する建物１に対して、建物１の換気又はヒートポンプシステムの熱交換に地中熱を利用するためのものである。この地中熱利用装置は、一部が地中に埋設され分岐した通気経路としての通気管２と、通気管２の分岐点に設けられた空気流路の切換手段としての二方電磁弁３等とを有している。
＜建物＞
建物１は、基礎断熱として構築された底盤コンクリート４と、その側縁に立設された側壁コンクリート５と、さらにその上に立設された外壁部６および天井部７とから主に構成され、建物１内の気密性は高いものとなっている。
【００１９】
側壁コンクリート５、外壁部６および天井部７により囲まれる空間は、床部８により居室などの屋内９と床下空間１０とに区切られている。外壁部６には、その内側に屋内９の温度を計測する第１の温度センサが設けられている。また外壁部６には、建物１の内外の換気を行う給気口１１Ａ,・・・と、排気口１１Ｂ,・・・とが形成されている。建物１の気密性の高さから、主として給気口１１Ａと排気口１１Ｂとにより屋内９の換気が行われる。
＜床下空間＞
建物１の床下空間１０には、後述する空調装置１２の室内機１３が設置されており、この室内機１３が床下空間１０の暖房又は冷房を行うことで、床下空間１０の温熱又は冷熱が床部８を介して屋内９に伝達され、これにより屋内９の暖房又は冷房が行われることとなる。
＜基礎断熱部＞
側壁コンクリート５の内側には、断熱材によって基礎断熱部１４が形成される。このように床下空間１０の側方が基礎断熱部１４によって囲まれると、空調装置１２の室内機１３から放出された温熱又は冷熱は、室内機１３からみて床部８の方向又は底盤コンクリート４の方向に主に伝達され、側方から漏出しにくいものとなる。
＜地表断熱部＞
一方、建物１の外周には、図１に示すように、地盤Ｇの地表面に沿って地表断熱部１５が設けられている。地表断熱部１５の一端は建物１の底盤コンクリート４の外壁面に当接されており、ここから建物１の横方向に延びるように地表断熱部１５が土中に埋設されている。この地表断熱部１５は、断熱材を地表の浅い部分に埋設させたり、地表面を断熱材で覆うことによって形成される。地表断熱部１５の建物１とは反対側の端部から、地盤Ｇの深部に向けて地中断熱部１６が埋設されている。
【００２０】
基礎断熱部１４、地表断熱部１５、地中断熱部１６としては、発泡ウレタン、発泡スチロール等の断熱材を使用することができる。
＜空調装置＞
本実施の形態で説明する空調装置１２は、床下空間１０の冷房や暖房をおこなう室内機１３と、屋外２５の空気と熱交換をおこなう室外機１７と、これらを繋いだ冷媒経路１８（図２参照）とを有するヒートポンプ式の空調装置である。
＜ヒートポンプ＞
空調装置１２について、図２を参照しながらさらに詳細に説明する。
【００２１】
この熱搬送流体としての冷媒の経路となる冷媒経路１８には、２本の冷媒管が配管されており、その内部を冷媒が搬送される。この冷媒は、室内機１３と室外機１７との間で循環される冷媒であり、冷房時と暖房時では搬送方向が逆になる。
（冷房）
冷房時は、冷媒管を通って室外機１７の圧縮機１９へ流れ込んだ気体状の冷媒は、圧縮機１９内で圧縮されて高圧・高温状態になる。そして、その状態で室外機１７の熱交換部２０に流れ込み、室外機１７の外気取込口２１から取り込まれた外気と熱交換される。このとき、冷媒は温度が下がって液状になり、熱交換部２０を通過した外気の温度は上昇して室外機１７のファンの回転により排気口２２から排出される。
【００２２】
続いて、液状になった冷媒は膨張弁２３に搬送され、圧力を一気に下げられて低圧・低温状態の液状となり、そのまま冷媒管を通って室内機１３に搬送される。
【００２３】
図１に示すように、床下空間１０の室内機１３の熱交換機（図示省略）に流れ込んだ冷媒により床下空間１０の空調を行う。
【００２４】
この室内機１３の熱交換機において、床下空間１０の空気に間接的に触れた冷媒が空気中の熱を奪って蒸発して気体に変化する。そして、熱を奪われた空気は、冷風として室内機１３の送風口から床下空間１０に吹き出される。
（暖房）
これに対して暖房時は、冷房時とは逆向きに冷媒が循環することになる。すなわち、室内機１３の熱交換機には高圧・高温の気体状の冷媒が搬送され、室内機１３の吸気口から取り込まれた床下空間１０の空気を温風に変えて送風口から吹き出させる。
【００２５】
そして、熱交換機において熱を奪われて液状になった冷媒は、冷媒管を通って室外機１７の膨張弁２３に搬送される。この膨張弁２３で圧力を一気に下げられて低圧・低温状態になった冷媒は、液状のまま熱交換部２０に搬送される。
【００２６】
続いて、熱交換部２０に搬送された冷媒は、室外機１７の外気取込口２１から取り込まれた建物１周辺の外気又は後述する通気管２からの外気と熱交換をおこなう。この結果、冷媒は気体になって温度が上昇し、熱交換部２０を通過した外気の温度は下降してから排出される。
【００２７】
さらに、熱交換部２０から圧縮機１９に流れ込んだ気体状の冷媒は、圧縮機１９内で圧縮されて高圧・高温状態になって冷媒管を通って室内機１３に向けて搬送される。
＜地中熱利用装置＞
このような空調装置１２を備える建物１に対して、本実施の形態の地中熱利用装置は、図１に示すように、地盤Ｇに埋設され分岐した通気管２と、通気管２の分岐点に設けられた二方向電磁弁３とを主として備えている。
＜通気管＞
通気管２は、その一部が地中に埋設され外気を取り込んで地中熱と熱交換をさせるためのものであり、例えば、連続した一本の貫通路が形成され鋼管、塩化ビニル管などの管材によって構築される。
【００２８】
図１の例では、地表断熱部１５、地中断熱部１６で囲まれた箇所に埋設されている。これにより、床下空間１０から底盤コンクリート４を通じて地中に漏出した温熱も効率よく再利用される。
【００２９】
また、通気管２の分岐点は、外気を取り込む側を上流側とした場合に、温調空気を吹き出す下流側であって、地表面に近い箇所で二つに分岐されている。
【００３０】
通気管２の一端には吸込口２aが形成され、この吸込口２aには外気を取り込んで通気管２内の空気を移送させるための吸込手段としての吸込ファン２４、除塵フィルター、第２の温度センサ（図示省略）等が設けられている。
【００３１】
この吸込ファン２４や第２の温度センサは、後述の屋内９に設置された空調装置１２のリモコン２７に接続されている。この吸込ファン２４を設ける位置は、通気管２の分岐点より上流側であればよい。
【００３２】
通気管２の分岐点より下流の２つの他端にはそれぞれ吹出口２A，２Bが形成されている。このうち一方の吹出口２Aは、カバー部２６等により空調装置１２の室外機１７の外気取込口２１（図２参照）に接続されている。他方の吹出口２Bは、建物１の給気口１１Ａ，・・・のいずれかに接続されている。
【００３３】
吸込ファン２４の回転又は自然風等により通気管２内に流入した外気の温度が地中の温度より高ければ、外気の熱が地中に移動して外気（空気）の温度が低下し、二方向電磁弁３が通電・開成状態で、建物１周辺の外気より低い温度の空気が吹出口２A又は吹出口２Bから吐き出される。
【００３４】
逆に、吸い込まれた外気の温度が地中の温度より低ければ、外気の熱が地中に移動して外気（空気）の温度が上昇し、二方向電磁弁３が通電・開成状態で、建物１周辺の外気より高い温度の空気が吹出口２A又は吹出口２Bから吐き出される。
＜接続部分＞
図２に示すように、吹出口２Aと室外機１７の外気取込口２１との間は、カバー部２６によって覆われている。このカバー部２６は、一方の端部が吹出口２Aと略同じ大きさの断面形に形成されており、そこから徐々に奥行き方向（図２において）へ拡開していき他方の端部は外気取込口２１と略同じ大きさの断面形に形成されている。
【００３５】
なお、カバー部２６の一部にはカバー部２６の周辺の外気を直接取り込むための複数の孔２６ａ，・・・が形成されており、この複数の孔２６ａ，・・・はいわゆる一方向弁の如く開閉部材２６ｂによりカバー部２６の外側から内側へ一方向にのみ外気が流れるように構成されている（図３参照）。図３に示す２点鎖線は開成時を示し、矢印はカバー部２６の内部に外気が取り込まれている状態を示す。
【００３６】
これにより、通気管２から温調空気を外気取込口２１に取り込まない又は低流量で取り込む場合でも、カバー部２６の内部が室外機１７のファン（図示省略）の回転により負圧とならずに確実に外気取込口２１に外気が供給される。逆に通気管２の吹出口２Ａから温調空気がカバー部２６内に吹き出してカバー部２６内が正圧となる場合には逆に外気の取り込みが抑制される。
【００３７】
そして、通気管２の吹出口２Aから吹き出た空気は、カバー部２６の内空を通って室外機１７の外気取込口２１（図２参照）に供給される。
＜二方向電磁弁＞
通気管２の分岐点に設けられた切換手段としての二方向電磁弁３は、通気管２内で温調空気の給気先を建物１の屋内９又は空調装置１２の室外機１７に選択するためのものである。
【００３８】
この二方向電磁弁３は、通気管２内の分岐点付近を流れる温調空気の温度を計測する第３の温度センサを有し、吸込ファン２４と同様に屋内９に設けられた空調装置１２を操作するためのリモコン２７にそれぞれが接続されている。
＜リモコン＞
リモコン２７は、地中熱利用装置を制御するリモコンとしても機能し、温度や設定内容を表す表示部、制御手段、記憶手段、給気先や風量の設定ボタン、自動運転モードの設定ボタン等を有している。
【００３９】
この記憶手段には空調装置１２の制御命令に関するプログラムの他に、二方向電磁弁３の制御命令に関するプログラム、吸込ファン２４の制御命令に関するプログラム等が記憶されている。これらのプログラムに基づいた制御命令により二方向電磁弁３、吸込ファン２４が制御される。
【００４０】
さらに、この記憶手段には二方向電磁弁３を第１〜３の温度センサの計測結果に基づいて地中熱利用装置を自動制御するための自動運転モードのプログラムが記憶されている。
【００４１】
すなわち、リモコン２７を操作することにより、吸込ファン２４と二方向電磁弁３の電源のON、OFFや、建物１の屋内９又は室外機１７へ給気する空気の風量の設定、温調空気の給気先の設定を手動で行うことができるようになっている。
【００４２】
また、この手動設定の代わりに、第１〜３の温度センサの計測結果に基づいて、給気先の設定や風量等の設定を自動で行う自動運転モードのON・OFF設定が可能となっている。
＜動作＞
（通常運転モード）
屋内９に設置されたリモコン２７を操作して、空調装置１２の電源をONに設定し、空調装置１２の冷房運転又は暖房運転を行うと、空調装置１２の室内機１３により床下空間１０、ひいては屋内９の冷房又は暖房が行われる。
【００４３】
ここで、リモコン２７を操作して地中熱利用装置をONに設定すると、初期設定の給気先、風量で地中熱利用装置の吸込ファン２４と二方向電磁弁３が稼動する。この給気先、風量の設定はリモコン２７を操作することで変更することができるようになっている。
（自動運転モード）
自動運転モードをONに設定すると、通常運転モードから切り替わり、二方向電磁弁３が第１〜３の温度センサの検出結果に基づいて温調空気の給気先が自動設定される。
【００４４】
すなわち、夏季に空調装置１２を冷房運転中、温調空気の温度が、屋内９の温度より低い場合には温調空気を建物１の屋内９へ給気し、屋内９の温度より高く且つ外気温未満の場合には室外機１７内へ給気し、外気温以上の場合にはこの給気を行わず、代わりに室外機周辺の外気がカバー部２６の孔２６ａを通じて室外機１７内へ自然給気される。
【００４５】
冬季に空調装置１２を暖房運転中、温調空気の温度が、屋内９の温度より高い場合には温調空気を建物１の屋内９へ給気し、屋内９の温度より低く且つ外気温より高い場合には室外機１７内へ給気し、外気温以下の場合にはこの給気を行わず、代わりに室外機周辺の外気がカバー部２６の孔２６ａを通じて室外機１７内へ自然給気される。
【００４６】
次に、本実施の形態の地中熱利用装置の作用について説明する。
（１）本実施の形態の地中熱利用装置によれば、必要に応じて温調空気の給気先を建物１の屋内９又は室外機１７に切り換えることができる。
【００４７】
冬季暖房運転や夏季冷房運転時に、暖房や冷房開始直後で外気温と屋内９との温度差が小さく、冷房や暖房が実質的に稼動していない初期段階では、温調空気を屋内９に給気することで冷房や暖房の代わりとなる。
【００４８】
さらに、空調装置１２による冷房や暖房が進んで、屋内９に直接取り込むには温調空気が冷たすぎたり熱すぎたりする場合となっても、給気先を室外機とすることで外気よりは室外機において高効率に冷媒と熱交換させることができる。
【００４９】
さらに建物１の換気目的で給気先を建物１の屋内９とすれば、温調空気により屋内９を換気することとなるので、外気による換気よりは屋内９の熱の損失を低く抑えた換気をすることができる。
【００５０】
このように、状況に応じて温調空気の供給先を選択できるので、空調装置１２の冷房・暖房運転に地中熱が無駄なく有効に利用され、ほぼ年間を通じて省電力・省エネルギーを達成できる。
（２）通気管２の吸込口２aに外気を吸い込むための吸込ファン２４を設けたので、温調空気を建物１の屋内９に取り込む場合と、空調装置１２の室外機１７に取り込む場合との双方の場合において、一の吸込ファン２４によりそれぞれの給気を行うことができる。
（３）空調装置１２を操作するためのリモコンに二方向電磁弁３を接続し、リモコン２７の操作により二方向電磁弁３を制御して温調空気の給気先を選択できるようにしたので、温調空気の給気先の選択と設定が簡単となる。
（４）空調装置１２の自動運転モードによれば、上述のように第１〜３の各温度センサが検出する温度に基づいて温調空気の給気先を建物１の屋内９又は室外機１７に自動的に設定するので、例えば料理等の人為的な要因等により建物１の屋内９の温度が変化しても、それに応じて二方向電磁弁３が自動的に切り換わり適正な給気先が自動で選択される。このため、ユーザが定期的に外気温度等をチェックして改めて給気先を設定し直す必要がなく、地中熱の利用機会を逸することなく地中熱の利用効率が向上する。
【実施例】
【００５１】
図４は、本発明の実施例に係る地中熱利用装置を示す図である。
【００５２】
図４に示すように、二方向電磁弁３の代わりに通気管２の分岐点より下流の位置に流量調節手段をそれぞれ設けて、以下に説明するようにこれらを同時に制御するようにしてもよい。
【００５３】
すなわち、実施例の地中熱利用装置は、二方向電磁弁３の代わりに、流量調節手段としての開閉ダンパー３Ａ,３Ｂおよびファン３Ｃ,３Ｄを有している。
【００５４】
この場合、図４に示すように、建物１の給気口１１Ａに接続された通気管２の吹出口２Ｂと分岐点との間、室外機１７に接続された通気管２の吹出口２Ａと通気管２の分岐点との間のそれぞれに、流量調節手段としての開閉ダンパー３Ａ,３Ｂおよびファン３Ｃ,３Ｄを設ける。
【００５５】
これらのファン３Ｃ,３Ｄやダンパー３Ａ，３Ｂは、屋内９のリモコン２７に接続されており、上述した通常運転モードや自動運転モードの制御が可能となっている。すなわち、屋内９に設置されたリモコン２７を操作して、上記同様に床下空間１０と屋内９の冷房又は暖房が行われる。また、ここで、リモコン２７を操作して流量調節手段の制御（開閉ダンパー３Ａ,３Ｂの開閉制御およびファン３Ｃ,３Ｄの回転制御）をすることができる。
【００５６】
（通常運転モード）
実施例の地中熱利用装置によれば、温調空気を建物１の屋内９に給気する場合には、図４（ａ）に示すように、ダンパー３Ａを開成しファン３Ｃを回転させて温調空気を屋内９に流入させるとともに、ファン３Ｄを停止しダンパー３Ｂを閉成する。
【００５７】
一方、空調装置１２の室外機１７に温調空気を給気する場合には、図４（ｂ）に示すように、ダンパー３Ｂを開成しファン３Ｄを回転させて温調空気を室外機１７に流入させるとともに、ファン３Ｃを停止しダンパー３Ａを閉成する。
【００５８】
これにより、温調空気の給気先を建物１の屋内９又は室外機１７に設定することができる。
【００５９】
自動運転モードについては、既に説明したように給気先が自動に切り替わるので、ユーザが定期的に外気温度等をチェックして改めて給気先を設定し直す必要がなく、地中熱の利用機会を逸することなく地中熱の利用効率が向上する。
【００６０】
以上、図面を参照して、本発明に係る実施の形態および実施例を詳述してきたが、具体的な構成は、この実施の形態および実施例に限らず、本発明の要旨を逸脱しない程度の設計的変更は、本発明に含まれる。
【００６１】
例えば、前記実施の形態では、建物１の床下空間に設置された空調装置１２に対して適用する場合について説明したが、これに限定されるものではなく、建物１の室内に設置される空調装置や、さらには住宅以外の建物に設置される空調装置に対しても適用することができる。
【００６２】
また、前記実施の形態では、通気管２の吹出口２Aと室外機１７の外気取込口２１との間をカバー部２６で覆ったが、これに限定されるものではなく、吹出口２Aが外気取込口２１に近接して配置されている場合はカバー部２６を設けなくてもよい。
【００６３】
通気管２は、二分岐としたが、建物１の大きさ等に合わせて三分岐以上としてもよい。
【００６４】
通気管２の地中埋設部分については通気経路があればよいので、単に通気用の穴を掘削して内壁を固めた地下トンネルとし、この部分の通気管の一部又は全部を省略してもよい。
【符号の説明】
【００６５】
１・・・建物
１１Ａ・・・給気口
１１Ｂ・・・排気口
１３・・・室内機
１７・・・室外機
１８・・・冷媒経路（熱搬送流体の経路）
１２・・・空調装置
２・・・通気管（通気経路）
２１・・・外気取込口
２ａ・・・吸込口
３・・・二方電磁弁（切換手段）
３Ａ,３Ｂ・・・開閉ダンパー（流量調節手段）
３Ｃ,３Ｄ・・・ファン（流量調節手段）
【図１】
2012163239.tif 000003
【図２】
2012163239.tif 000004
【図３】
2012163239.tif 000005
【図４】
2012163239.tif 000006